(57)【特許請求の範囲】
【請求項１】
カード形のＩＣタグを取り付け可能な合成樹脂製パレットにおいて、
前記合成樹脂製パレットの上面又は下面に開放し、前記ＩＣタグを受容可能なタグ受容開口と、
前記タグ受容開口の奥側に形成されて前記タグ受容開口の開口縁と直交し、前記ＩＣタグが重ねられる内部側壁と、
前記内部側壁に重ねられた前記ＩＣタグを両側方から挟むと共に、そのＩＣタグの両側縁部を前記内部側壁との間で挟んで前記ＩＣタグの移動を規制する１対の側縁係合壁と、
前記タグ受容開口と反対側から前記ＩＣタグに対向してそのＩＣタグを上下方向の一方側から位置決め可能な奥側位置決め部と、
前記各側縁係合壁を前記タグ受容開口より奥側に離して配置しかつ、前記各側縁係合壁と前記内部側壁との間の空間を前記タグ受容開口に向けて開放してなるタグ側縁挿入口と、
前記内部側壁のうち前記タグ側縁挿入口より前記タグ受容開口側の領域で前記１対の側縁係合壁の間に突出形成されると共に、前記奥側位置決め部に対して前記内部側壁の幅方向でずれた位置に配置され、その奥側位置決め部との間で前記ＩＣタグを上下方向で挟んで保持する抜け止め突部とを備えたことを特徴とする合成樹脂製パレット。
【請求項２】
前記１対の側縁係合壁は、前記内部側壁から互いに接近する方向に斜めに突出した平板状の縦リブ構造をなしたことを特徴とする請求項１に記載の合成樹脂製パレット。
【請求項３】
前記内部側壁を前記タグ受容開口の奥側に複数設けて互いに交差させると共に、前記側縁係合壁を平板状の縦リブ構造にして隣り合った前記内部側壁間の角部を２分する位置に配置し、それら隣り合った前記内部側壁の間で前記側縁係合壁を共有させたことを特徴とする請求項１に記載の合成樹脂製パレット。
【請求項４】
前記タグ受容開口を多角形にすると共に、その多角形に対応させて前記内部側壁を複数設けて断面多角形の角筒体を構成し、全ての隣り合った前記内部側壁間の角部を２分するように前記側縁係合壁を設けたことを特徴とする請求項３に記載の合成樹脂製パレット。
【請求項５】
前記奥側位置決め部は、前記ＩＣタグの幅方向の中間部に配置され、前記奥側位置決め部には、前記内部側壁との間で前記ＩＣタグを挟持可能な浮き上がり防止突部が形成されたことを特徴とする請求項１乃至４の何れかに記載の合成樹脂製パレット。
【発明の詳細な説明】
【技術分野】
【０００１】
本発明は、カード形のＩＣタグを取り付け可能な合成樹脂パレットに関する。
【背景技術】
【０００２】
図１０（Ａ）に示した従来の合成樹脂パレットは、外側面にＩＣタグ取付部を備えている。そのＩＣタグ取付部は、上下方向に延びた１対のタグ貫通突部１，１と、それらの両側に配置されて上下方向に延びた１対の抜け止め突部２，２とを備えてなる。各タグ貫通突部１には、スリット１Ｓが左右方向に貫通形成され、ここにカード形のＩＣタグ３が挿入される。その挿入過程においてＩＣタグ３は抜け止め突部２を避けるために湾曲形状に弾性変形され、挿入が完了するとＩＣタグ３が弾性復元する。そして、図１０（Ｂ）に示すように、ＩＣタグ３の中間部がタグ貫通突部１，１に保持されかつ両端部が抜け止め突部２，２に付き合わされた状態になる。なお、この合成樹脂パレットを製造するための成形金型のうちスリット１Ｓを成形するスリット成形部は、例えば細長い帯板状をなし、合成樹脂パレットを下面側からスリット１Ｓ内へと延ばした構造になっている（例えば、特許文献１参照）。
【０００３】
また、別の従来の合成樹脂パレットとして、合成樹脂パレットとは別部品のホルダを備え、そのホルダにＩＣタグを保持させて合成樹脂パレットの上面開口又は下面開口の奥部に装着するものも知られている（例えば、特許文献２，３参照）
【特許文献１】特開２００４−１７５４２０号公報（［００１３］、第２〜４図、第６図）
【特許文献２】特開平９−２５４９８３号公報（第２，３図）
【特許文献３】特開平１１−１２３０号公報（第６，７図）
【発明の開示】
【発明が解決しようとする課題】
【０００４】
しかしながら、上記したホルダを有した従来の合成樹脂パレットは、そのホルダの製造コストが余分にかかる。一方、上記したスリット１Ｓを有した従来の合成樹脂パレットは、ＩＣタグ取付部が外側面に配置されているので、他の合成樹脂パレットやフォークリフト等との衝突によりＩＣタグ３が損傷する事態が生じ得る。これに対し、スリット１Ｓを有したＩＣタグ取付部を合成樹脂パレットの上面開口の奥部に配置すると、ＩＣタグ３の取り付けが困難になる。そこで、スリット１Ｓの開口が上下方向を向くようにＩＣタグ取付部を９０度旋回させて上面開口の奥部に配置すると、上記成形金型のスリット成形部を、合成樹脂パレットに対して横方向に進退させる必要が生じ、金型構造が繁雑になって金型製作費が増す。このため、ホルダを廃止しても製造コストを削減することができなかった。
【０００５】
本発明は、上記事情に鑑みてなされたもので、ＩＣタグを合成樹脂パレットの内部に取り付けることができかつ、製造コストを抑えることが可能な合成樹脂パレットの提供を目的とする。
【課題を解決するための手段】
【０００６】
上記目的を達成するためになされた請求項１の発明に係る合成樹脂製パレットは、カード形のＩＣタグを取り付け可能な合成樹脂製パレットにおいて、合成樹脂製パレットの上面又は下面に開放し、ＩＣタグを受容可能なタグ受容開口と、タグ受容開口の奥側に形成されてタグ受容開口の開口縁と直交し、ＩＣタグが重ねられる内部側壁と、内部側壁に重ねられたＩＣタグを両側方から挟むと共に、そのＩＣタグの両側縁部を内部側壁との間で挟んでＩＣタグの移動を規制する１対の側縁係合壁と、タグ受容開口と反対側からＩＣタグに対向してそのＩＣタグを上下方向の一方側から位置決め可能な奥側位置決め部と、各側縁係合壁をタグ受容開口より奥側に離して配置しかつ、各側縁係合壁と内部側壁との間の空間をタグ受容開口に向けて開放してなるタグ側縁挿入口と、内部側壁のうちタグ側縁挿入口よりタグ受容開口側の領域で１対の側縁係合壁の間に突出形成されると共に、奥側位置決め部に対して内部側壁の幅方向でずれた位置に配置され、その奥側位置決め部との間でＩＣタグを上下方向で挟んで保持する抜け止め突部とを備えたところに特徴を有する。
【０００７】
請求項２の発明は、請求項１に記載の合成樹脂製パレットにおいて、１対の側縁係合壁は、内部側壁から互いに接近する方向に斜めに突出した平板状の縦リブ構造をなしたところに特徴を有する。
【０００８】
請求項３の発明は、請求項１に記載の合成樹脂製パレットにおいて、内部側壁をタグ受容開口の奥側に複数設けて互いに交差させると共に、側縁係合壁を平板状の縦リブ構造にして隣り合った内部側壁間の角部を２分する位置に配置し、それら隣り合った内部側壁の間で側縁係合壁を共有させたところに特徴を有する。
【０００９】
請求項４の発明は、請求項３に記載の合成樹脂製パレットにおいて、タグ受容開口を多角形にすると共に、その多角形に対応させて内部側壁を複数設けて断面多角形の角筒体を構成し、全ての隣り合った内部側壁間の角部を２分するように側縁係合壁を設けたところに特徴を有する。
【００１０】
請求項５の発明は、請求項１乃至４の何れかに記載の合成樹脂製パレットにおいて、奥側位置決め部は、ＩＣタグの幅方向の中間部に配置され、奥側位置決め部には、内部側壁との間でＩＣタグを挟持可能な浮き上がり防止突部が形成されたところに特徴を有する。
【発明の効果】
【００１１】
［請求項１の発明］
請求項１の合成樹脂パレットにＩＣタグを取り付けるには、ＩＣタグを上下方向で湾曲した形状に弾性変形させてその一端部を、タグ受容開口奥側の内部側壁におけるタグ側縁挿入口と抜け止め突部との間に押し付け、内部側壁を案内にしてタグ側縁挿入口から側縁係合壁と内部側壁との間に挿入する。すると、ＩＣタグは抜け止め突部に摺接して湾曲形状を維持し、ＩＣタグの一端部が奥側位置決め部に当接したところで、ＩＣタグが抜け止め突部を通過して弾性復元する。これにより、ＩＣタグの他端部が抜け止め突部に突き合わされて、ＩＣタグが抜け止めされる。ここで、本発明では、抜け止め突部が、１対の側縁係合壁の間に配置されると共に奥側位置決め部に対して内部側壁の幅方向でずれた位置に配置されているので、これら抜け止め突部と側縁係合壁と奥側位置決め部とが上下方向で干渉することがない。これにより、本発明では、合成樹脂パレットの上下方向に型開きされる成形金型のみで、合成樹脂パレットにおけるＩＣタグの取り付け部分を成形することができる。
【００１２】
このように本発明の合成樹脂パレットによれば、タグ受容開口を通して合成樹脂パレットの内部にＩＣタグを取り付けることができるので、ＩＣタグを他の合成樹脂パレットやフォークリフトとの衝突から保護することが可能になる。また、ホルダを用いないので、そのホルダ分の製造費を抑えることができる。さらには、合成樹脂パレットの上下方向に型開きされる成形金型のみで、合成樹脂パレットにおけるＩＣタグの取り付け部分を成形することができるので、金型製作費も抑えられる。これらにより、合成樹脂パレットの製造コストを抑えることができる。
【００１３】
［請求項２の発明］
１対の側縁係合壁は、内部側壁から直立しかつ途中でＩＣタグ側に直角曲げした断面Ｌ字構造にしてもよいし、請求項２の構成のように、内部側壁から互いに接近する方向に斜めに突出した平板状の縦リブ構造にしてもよい。請求項２の構成にすれば、側縁係合壁を断面Ｌ字構造にした場合より、側縁係合壁の構造が簡素化されて、製造コストを抑えられる。
【００１４】
［請求項３の発明］
請求項３の構成によれば、複数の内部側壁のうちからＩＣタグを取り付ける内部側壁を選択することができると共に、必要に応じて複数のＩＣタグを取り付けることができ、ＩＣタグの取り付けの自由度が増す。また、隣り合った内部側壁同士の角部に側縁係合壁を設けて、その側縁係合壁を隣り合った内部側壁の間で共有させたので、それら内部側壁毎に１対ずつの側縁係合壁を別々に設けた場合に比べて構造が簡素化される。
【００１５】
［請求項４の発明］
請求項４の構成によれば、角筒体によってＩＣタグが周囲全体を覆われるので、ＩＣタグの保護が厚くなる。
【００１６】
［請求項５の発明］
請求項５の構成によれば、奥側位置決め部に形成した浮き上がり防止突部により、ＩＣタグの幅方向における湾曲変形が抑えられ、ＩＣタグが安定する。
【発明を実施するための最良の形態】
【００１７】
以下、本発明の一実施形態を図１〜図６に基づいて説明する。図１に示した本実施形態の合成樹脂パレット１０（以下、単に「パレット１０」という）は、平面略正方形のデッキボード１１の下面に複数の桁部２０を備え、それら桁部２０同士の間がフォーク挿入空間１４になっている。
【００１８】
なお、パレット１０は、合成樹脂を図示しない成形金型で射出成形して製造され、その成形金型は、パレット１０の上下方向に型開き可能な構造になっている。そして、以下説明する全ての部位に関しては、成形金型のうち型開き方向に突出又は陥没した凹凸のみによって成形され、その型開き方向と交差する方向に可動する所謂スライドピンは不要な構造になっている。
【００１９】
上記デッキボード１１には、その外縁部と縦横の中心線とに沿った部位に、比較的強度が高い上面強化梁１２が備えられ、デッキボード１１全体で上面強化梁１２が「田」の字形状になっている。そして、上面強化梁１２に囲まれた四角形の４つの領域がそれぞれ荷受盤１３にて塞がれている。また、それら上面強化梁１２及び荷受盤１３は共にメッシュ構造（桟構造）をなし、そのメッシュ構造の網目は上下に貫通している。
【００２０】
桁部２０は、デッキボード１１のうち上面強化梁１２同士の交差位置に配置されている。即ち、桁部２０は、デッキボード１１の四隅と、デッキボード１１の各外縁部における各中央部と、デッキボード１１の平面形状における図心との計９箇所に配置されている。また、縦横の何れかの方向で隣合った桁部２０，２０の下端部の間にも、上面強化梁１２と同様の下面強化梁（図示せず）が差し渡され、その下面強化梁も全体が「田」の字形状になっている。なお、下面強化梁に囲まれた四角形の４つの領域には、荷受盤１３に相当する構造体はなく、単なる空間になっている。
【００２１】
図２には、デッキボード１１の図心に配置された桁部２０が拡大して示されている。以下、特記しない限り、「桁部２０」とはデッキボード１１の図心の桁部２０を指すものとする。その桁部２０は、外殻部分に断面略長方形の桁部外殻壁２１を有している。桁部外殻壁２１を構成する縦横４つの側部壁２１Ａは、パレット１０の縦横４つの外側面と並行になっている。そして、桁部外殻壁２１の各側部壁２１Ａの外面に前記した各上面強化梁１２（図１参照）がそれぞれ直交した状態で接続されている。
【００２２】
桁部外殻壁２１の上面開口は、複数の上部帯状壁２２によって部分的に覆われている。それら各上部帯状壁２２は、パレット１０の縦横４つの外側面に対して４５度の傾斜した方向に延びている。そして、一部の上部帯状壁２２が、桁部外殻壁２１の上面開口の各角部を跨いで隣り合った側部壁２１Ａ，２１Ａの間に差し渡されている。また、他の一部の上部帯状壁２２が互いに接続されて正方形の枠壁２２Ｗを構成し、その枠壁２２Ｗが桁部外殻壁２１の上面開口の中央に配置されている。さらに、各側部壁２１Ａの幅方向の中央からは内側に向かって縦リブ２３がそれぞれ突出しており、それら縦リブ２３が枠壁２２Ｗを下面側から支持している。なお、縦リブ２３は、側部壁２１Ａの上下方向に全体に亘って延びている。
【００２３】
枠壁２２Ｗの内側の開口は、本発明に係るタグ受容開口３０になっている。タグ受容開口３０の開口縁からは、断面形状がタグ受容開口３０の開口形状と同じ正方形の角筒体３１が垂下されている。
【００２４】
なお、枠壁２２Ｗの外縁部と、桁部外殻壁２１の各角部の上部帯状壁２２における両側縁部からは、下方に向けて補強リブ２２Ｌが垂下されている。また、図５（Ａ）に示すように、桁部外殻壁２１の下面開口には、上部帯状壁２２と上下方向で重ならない位置に下部帯状壁３２が形成され、各下部帯状壁３２における側縁部から上方に向けて補強リブ３２Ｌが起立している。
【００２５】
図５（Ａ）及び図６（Ａ）に示すように、角筒体３１は、下端部を底壁３３によって閉塞され、パレット１０全体と略同一の高さになっている。また、角筒体３１の４つの側面は、それぞれ本発明に係る内部側壁２４によって構成されている。そして、図５（Ｂ）及び図６（Ｂ）に示すように、４つの内部側壁２４のうち何れかの内部側壁２４の内面にＩＣタグ９０が重ね合わされた状態に取り付けられる。
【００２６】
本実施形態のＩＣタグ９０は、図２に全体が示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。また、ＩＣタグ９０は、可撓性に富んだ四角形のフィルム回路基盤９１に、例えば、コイルアンテナ９２とＩＣチップ９３と実装して樹脂フィルム９４でラミネートしてなり、全体が縦長のカード形状になっている。内部側壁２４は、このＩＣタグ９０より縦長かつ若干幅広になっている。
【００２７】
角筒体３１の内側角部には、それぞれ側縁係合壁２６が設けられている。図４に示すように、側縁係合壁２６は、隣り合った内部側壁２４，２４同士の間の角部を２等分する平板状の縦リブ構造をなしている。また、図５（Ａ）に示すように、各側縁係合壁２６の上端部は、タグ受容開口３０の開口縁から奥側に離して配置されている。さらに、各側縁係合壁２６と内部側壁２４との間の空間は、側縁係合壁２６の上端部でタグ受容開口３０側に向かって開放し、本発明に係るタグ側縁挿入口２６Ｋになっている。そして、ＩＣタグ９０の両側縁部が、タグ側縁挿入口２６Ｋ，２６Ｋから各側縁係合壁２６と内部側壁２４との間の空間内に挿入される。
【００２８】
内部側壁２４のうちタグ側縁挿入口２６Ｋよりタグ受容開口３０側の領域には、内部側壁２４の幅方向の中央に抜け止め突部２５が突出形成されている。抜け止め突部２５は、側面形状が略三角形になっており、下方に向かうに従って内部側壁２４からの突出量が徐々に増し、下端部には内部側壁２４と直交した水平面が備えられている。
【００２９】
内部側壁２４には、抜け止め突部２５より下側部分を切除して縦溝２４Ａが形成されている。縦溝２４Ａは、上端部が抜け止め突部２５と同じ幅をなし、下方に向かうに従って徐々に幅が広がっている。また、図６（Ａ）に示すように、底壁３３には、縦溝２４Ａに連通した矩形窓３３Ａが形成されている。その矩形窓３３Ａの幅は、縦溝２４Ａの下端部と同じ幅になっている。
【００３０】
縦溝２４Ａの下端部における両開口縁には、１対の奥側位置決め部２７，２７が形成されている。各奥側位置決め部２７は、平板状をなして縦溝２４Ａの両開口縁に沿って延び、奥側位置決め部２７の下端部は矩形窓３３Ａの開口縁における１対の直線部分に接続されている。また、図４に示すように、抜け止め突部２５と１対の奥側位置決め部２７，２７とは、内部側壁２４の幅方向で互いにずれた配置になっている。
【００３１】
各奥側位置決め部２７の上面は水平面になっており、ここにＩＣタグ９０の下端部が当接して位置決めされる。また、各奥側位置決め部２７の上面のうち内部側壁２４から離れた部分を段付き状に上方に突出させて、本発明に係る浮き上がり防止突部２８が形成されている。
【００３２】
本実施形態のパレット１０の構成に関する説明は以上である。次に、本実施形態のパレット１０の作用効果について説明する。パレット１０にＩＣタグ９０を取り付けるには、タグ受容開口３０内の４つの内部側壁２４のうち何れかを選択する。そして、その内部側壁２４の上下方向における抜け止め突部２５と側縁係合壁２６（タグ側縁挿入口２６Ｋ）との間の領域にＩＣタグ９０の下端部を押し付け、このとき抜け止め突部２５とＩＣタグ９０との干渉を避けるために、ＩＣタグ９０を上下方向で湾曲した形状に弾性変形させる。この状態でＩＣタグ９０を押し下げると、ＩＣタグ９０は内部側壁２４に案内されて、タグ側縁挿入口２６Ｋから各側縁係合壁２６と内部側壁２４との間に挿入されていく。このとき、ＩＣタグ９０の幅方向の中間部が抜け止め突部２５に摺接し、ＩＣタグ９０は湾曲形状に維持される。
【００３３】
図３及び図５（Ｂ）に示すように、ＩＣタグ９０がタグ受容開口３０の奥側に挿入されると、やがてＩＣタグ９０の下端部が奥側位置決め部２７に当接して位置決めされると共に、ＩＣタグ９０の上端部が抜け止め突部２５を通過して弾性復元し、その抜け止め突部２５に突き合わされた状態になる。これにより、ＩＣタグ９０がタグ受容開口３０内に抜け止めされる。また、図６（Ｂ）に示すように、ＩＣタグ９０の下端縁の中間部は、奥側位置決め部２７に形成した浮き上がり防止突部２８と内部側壁２４に挟まれて、内部側壁２４から離れる側への変形が防がれる。
【００３４】
以上によりＩＣタグ９０の取り付けが完了する。ところで、本実施形態のパレット１０では、抜け止め突部２５が、１対の側縁係合壁２６，２６の間に配置されると共に１対の奥側位置決め部２７，２７に対して内部側壁２４の幅方向でずれた位置に配置されているので、これら抜け止め突部２５と側縁係合壁２６と奥側位置決め部２７とが上下方向で干渉することがない。これにより、本実施形態のパレット１０は、その上下方向に型開きされる成形金型のみで、パレット１０におけるＩＣタグ９０の取り付け部分を成形することができる。
【００３５】
このように本実施形態のパレット１０によれば、タグ受容開口３０を通してパレット１０の内部にＩＣタグ９０を取り付けることができるので、ＩＣタグ９０を他のパレットやフォークリフト等との衝突から保護することが可能になる。また、ホルダを用いないので、そのホルダ分の製造費を抑えることができる。さらには、パレット１０の上下方向に型開きされる成形金型のみで、パレット１０におけるＩＣタグ９０の取り付け部分を成形することができるので、金型製作費も抑えられる。これらにより、パレット１０の製造コストを抑えることができる。
【００３６】
また、本実施形態のパレット１０では、タグ受容開口３０の奥側の複数の内部側壁２４からＩＣタグ９０の取り付ける内部側壁２４を選ぶことができると共に必要に応じて複数のＩＣタグ９０を取り付けることができ、ＩＣタグ９０の取り付けの自由度が高い。さらに、ＩＣタグ９０が角筒体３１に収容されて周囲全体を覆われるのでＩＣタグ９０の保護が厚くなる。しかも、角筒体３１の各角部に側縁係合壁２６を設けて、その側縁係合壁２６を隣り合った内部側壁２４の間で共有させたので、それら内部側壁２４毎に１対ずつの側縁係合壁２６を別々に設けた場合に比べて構造が簡素化される。また、浮き上がり防止突部２８によってＩＣタグ９０の幅方向の湾曲変形が防がれ、ＩＣタグ９０が安定する。
【００３７】
なお、ＩＣタグ９０との間で無線を送受するタグリーダーライター（図示せず）は、そのＩＣタグ９０が取り付けられたパレット１０の側面に対峙した状態で取り扱われる場合が多く、その側面はパレット１０の縦横の何れの側面の場合もあり得る。これに対し、本実施形態では、ＩＣタグ９０がパレット１０の縦横の側面に対して４５度の角度で傾斜した状態に取り付けられるので、タグリーダーライターがパレット１０の縦横の何れの側面に対峙した状態で扱われても、そのタグリーダーライターに対してＩＣタグ９０が完全に横向きになることがない。即ち、ＩＣタグ９０のコイルアンテナ９２の軸方向と、タグリーダーライターからの無線の送信方向とが直交することがなくなり、ＩＣタグ９０は無線を良好な状態で送受信することができる。
【００３８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３９】
（１）前記実施形態では、タグ受容開口３０がパレット１０の上面に形成されていたが、タグ受容開口は、パレットの下面に形成してもよいし、上面と下面の両方に形成してもよい。
【００４０】
（２）前記実施形態のパレット１０は、上面及び下面がメッシュ構造になっていたが、上面及び下面を平板構造にしてもよい。この場合、その平板構造の上面壁及び下面壁にタグ受容開口を貫通形成すればよい。
【００４１】
（３）前記実施形態の角筒体３１は断面正方形になっていたが、図７に示すように、角筒体３１を断面長方形にして幅が異なる２種類の内部側壁２４を設け、２種類のサイズのＩＣタグ９０Ａ，９０Ｂをタグ受容開口３０内に取り付け可能な構成にしてもよい。
【００４２】
（４）前記実施形態の角筒体３１は、断面四角形であったが、本発明に係る角筒体は、断面四角形以外の多角形であってもよい。
【００４３】
（５）前記実施形態の側縁係合壁２６は、内部側壁２４から互いに接近する方向に斜めに突出した平板状の縦リブ構造であったが、図８に示すように、例えば、角筒体３１の４つの内部側壁のうち対向した１対の第１内部側壁２４Ｘ，２４Ｘのみに抜け止め突部２５，２５を形成し、残りの１対の第２内部側壁２４Ｙ，２４Ｙの両側縁部から第１内部側壁２４Ｘと平行に縦リブ構造の側縁係合壁２６Ｖをそれぞれ突出させて、それら側縁係合壁２６Ｖと各第１内部側壁２４Ｘとの間にＩＣタグ９０の両側縁部を挿入してもよい。
【００４４】
（６）また、図９に示した１対の側縁係合壁２６Ｗ，２６Ｗのように、内部側壁２４から直立しかつ途中でＩＣタグ９０側に直角曲げした断面Ｌ字構造にしてもよい。
【図面の簡単な説明】
【００４５】
【図１】本発明の一実施形態に係る合成樹脂パレットの斜視図
【図２】合成樹脂パレットにおける桁部の斜視図
【図３】合成樹脂パレットにおける桁部の斜視図
【図４】合成樹脂パレットにおける桁部の平断面図
【図５】合成樹脂パレットにおける桁部の破断斜視図
【図６】合成樹脂パレットにおける桁部の破断斜視図
【図７】本発明に係る合成樹脂パレットの変形例の断面図
【図８】本発明に係る合成樹脂パレットの変形例の断面図
【図９】本発明に係る合成樹脂パレットの変形例の断面図
【図１０】従来の合成樹脂パレットの斜視図
【符号の説明】
【００４６】
１０    パレット
２４    内部側壁
２４Ａ    縦溝
２４Ｘ    第１内部側壁
２４Ｙ    第２内部側壁
２５    抜け止め突部
２６，２６Ｖ，２６Ｗ    側縁係合壁
２６Ｋ    タグ側縁挿入口
２７    奥側位置決め部
２８    浮き上がり防止突部
３０    タグ受容開口
３１    角筒体
９０，９０Ａ，９０Ｂ    ＩＣタグ
【図１】
0004906163.tif 000002
【図２】
0004906163.tif 000003
【図３】
0004906163.tif 000004
【図４】
0004906163.tif 000005
【図５】
0004906163.tif 000006
【図６】
0004906163.tif 000007
【図７】
0004906163.tif 000008
【図８】
0004906163.tif 000009
【図９】
0004906163.tif 000010
【図１０】
0004906163.tif 000011